(57)【要約】【課題】番組予約が重複する場合にも、一つの番組記録予約装置だけで予約の重複を回避し、重複する複数の番組の記録を実現する。【解決手段】入力された情報に基づいて、取得した番組編成情報から検索して番組予約を行う際に、スケジュール管理部１８の番組予約情報比較・更新手段が、番組編成情報記録部５に記憶されている更新された番組編成表と番組予約情報記録部６に記憶されている番組予約スケジュールとを比較し、番組予約の重複を検出した場合、番組予約された番組の再放送または繰り返し放送を番組編成表から検索した結果を基に、重複した番組予約の番組予約スケジュールを動的に編集する。【選択図】　図１
2004007757.tif 000002
【特許請求の範囲】
【請求項１】
入力された情報に基づいて、取得した番組編成情報から検索して番組予約を行う番組記録予約装置において、番組編成表と番組を取得する手段と、更新された番組編成表と記憶されている番組予約スケジュールとを比較し、前記更新された番組編成表を基に番組予約スケジュールを動的に編集する番組予約情報比較・更新手段と、前記編集された記録スケジュールに従って番組を記録する番組記録手段とを備えた番組記録予約装置。
【請求項２】
番組予約情報比較・更新手段は、更新された番組編成表と記憶されている番組予約スケジュールを比較し、番組予約スケジュールを更新する際に番組予約の重複を検出した場合、番組予約された番組の再放送または繰り返し放送を前記番組編成表から検索した結果を基に、重複した番組予約の番組予約スケジュールを動的に編集することを特徴とする請求項１記載の番組記録予約装置。
【請求項３】
番組予約情報比較・更新手段は、予約番組に連続する番組を検索した結果を基に、連続番組に対する番組予約の番組予約スケジュールを動的に編集することを特徴とする請求項１記載の番組記録予約装置。
【請求項４】
番組予約情報比較・更新手段は、ユーザーの放送番組の視聴履歴を番組嗜好情報として類似する番組を検索し、自動的に類似する番組を予約する際に、前記更新された番組編成表を基に再放送または繰り返し放送の重複部分を回避するように番組予約スケジュールを動的に編集することを特徴とする請求項１記載の番組記録予約装置。
【請求項５】
番組嗜好情報は、ユーザーが番組視聴及び番組予約する番組のタイトルやジャンルの番組情報の履歴であることを特徴とする請求項４記載の番組記録予約装置。
【請求項６】
番組嗜好情報は、番組情報の嗜好の是非をユーザーが入力し学習により求めることを特徴とする請求項４記載の番組記録予約装置。
【請求項７】
入力された情報に基づいて、取得した番組編成情報から検索して番組予約を行う番組記録予約方法において、番組編成表と番組を取得し、更新された番組編成表と記憶されている番組予約スケジュールとを比較し、前記更新された番組編成表を基に番組予約スケジュールを動的に編集して、前記編集された記録スケジュールに従って番組を記録する番組記録予約方法。
【請求項８】
番組予約スケジュールの動的な編集は、更新された番組編成表と記憶されている番組予約スケジュールを比較し、番組予約スケジュールを更新する際に番組予約が重複を検出した場合、番組予約された番組の再放送または繰り返し放送を前記番組編成表から検索し、その結果を基に重複した番組予約の番組予約スケジュールを動的に編集することを特徴とする請求項７記載の番組記録予約方法。
【請求項９】
番組予約スケジュールの動的な編集は、予約番組に連続する番組を検索し、その結果を基に連続番組に対する番組予約の番組予約スケジュールを動的に編集することを特徴とする請求項７記載の番組記録予約方法。
【請求項１０】
番組予約スケジュールの動的な編集は、ユーザーの放送番組の視聴履歴を番組嗜好情報として類似する番組を検索し、自動的に類似する番組を予約する際に、前記更新された番組編成表を基に再放送または繰り返し放送の重複部分を回避するように番組予約スケジュールを動的に編集することを特徴とする請求項７記載の番組記録予約方法。
【発明の詳細な説明】
【０００１】
【発明の属する技術分野】
本発明は、ビデオ・オーディオ及びデータの放送システムにおける番組記録予約装置及び番組記録予約方法に関するものである。
【０００２】
【従来の技術】
近年、放送のデジタル化の動きが活発になりつつあり、既に衛星デジタル放送が開始され、今後地上波放送もデジタル化される予定である。放送内容をデジタル化することにより、従来の映像・音声に加えデータ放送やデータ放送を用いた番組編成情報の放送も行われている。従来のＶＴＲでは、新聞等で番組を探し、番組の開始時間と終了時間、またはＧコードを入力することで、番組の録画が行なわれていたが、デジタル化にともない数百チャネルの中から所望の番組を視聴または録画することは困難であるため、番組編成表自体も放送し、その番組編成表を用いて視聴および録画を簡易化することが望まれている。また、多チャネルのデジタル放送では、従来のように番組がそのままその時間を表すのではなく、同じ番組が、或る期間の中で繰り返し放送されるようになるため、時間枠を指定して録画予約を行うのではなく、視聴者は番組自体を選択するだけで、何時に録画するのかといった録画のスケジューリングは自動で行なわれるのが望ましい。さらには、特別番組等により番組編成が変更になったときに、変更された番組編成表を取得して、時々刻々と変化する状況に適応して動的にスケジューリングを変更することが期待されている。以上のような、番組編成情報を利用した技術がいくつか提案されている（例えば、特許文献１乃至６参照）。
【０００３】
以下、従来の番組記録予約装置について説明する。図１０は従来の番組記録予約装置のブロック図を示すものである。図１０において、１は番組記録予約装置、２は受信部、３は分離部、４は番組記録部、５は番組編成情報記録部、６は番組予約情報記録部、７は番組予約入力部、９はタイマー、１０は記録メディア、６８はスケジュール管理部、１０１は番組及び番組編成情報からなる放送信号、１０２は番組及び番組編成情報からなる受信信号、１０３は分離された番組信号、１０４は番組信号を記録メディア１０に記録する記録信号、１０５は分離された番組編成情報、１０６は受信部制御情報、１０７は番組記録部制御情報、１０８は番組編成情報、１０９は番組予約情報、１１０は番組予約情報、１１１は割り込み信号、１１２は番組予約入力である。また図１１はスケジュール管理部６８の詳細図である。図１１において、２１は受信部制御部、２２は番組記録部制御部、２３は番組編成情報比較・更新部、７４は番組予約情報比較・更新部、２０１は番組編成情報である。
【０００４】
また、図１２は、従来の番組記録予約装置による番組記録予約が番組編成の変更に追従して変更される例を番組編成表で示す図である。図１２（ａ）において、８０は番組編成表、８１ａは８時から１０時までの放送予定の野球番組、８２ａは１０時から１１時まで放送予定のドラマである。また、図１２（ｂ）において８１ｂは試合時間延長のため放送時間が延長された野球番組、８２ｂは直前の野球番組が延長されたために放送開始および終了時間が３０分遅れになったドラマである。
【０００５】
また、図１３は、従来の番組記録予約装置によっては重複した番組記録予約を入力することができないことを説明する例を示す図である。図１３（ａ）および（ｂ）において、１０１ａおよび１０１ｂは７時３０分から８時３０分までの時間にＣＨ１（チャネル１）で放送予定のドラマ、１０２ａおよび１０２ｂは９時から１１時までの時間にＣＨ１で放送予定のバラエティ番組、１０３ａおよび１０３ｂは８時から１０時までの時間にＣＨ２で放送予定の映画番組である。また、図１４は、連続放送される番組を従来の番組記録予約装置によって番組記録予約する例を示す図である。ここで、「連続放送される番組」とは、毎日、或いは毎週決められた時間に放送される番組（例えば連続番組）をいう。図１４において、１２１ａは連続放送の第１回放送のドラマ、１２２ａは連続放送の第２回放送のドラマ、１２３ａは連続放送の第３回放送のドラマである。また、図１５は、従来の番組記録予約装置によって視聴者の嗜好を反映した番組記録予約を行う例を示す図である。図１５において、１３１ａはハワイに関する番組、１３２ａはブランドショッピングに関する番組、１３３ａはホノルルに関する番組である。
【０００６】
以上のように構成された番組記録予約装置について、以下にその動作を説明する。受信部制御部２１は、番組編成情報を定期的に受信するために、適当な時間間隔でタイマー９が発生する割り込み信号１１１によって、受信部２が番組及び番組編成信号からなる放送信号１０１を受信するように制御する。分離部３は、受信部２によって受信された番組及び番組編成情報からなる受信信号１０２から番組信号１０３と番組編成情報１０５に分離する。番組編成情報比較・更新部２３は、番組編成情報１０５と番組編成情報記録部５に記録される番組編成情報を比較し、新しいものについて更新記録を行う。番組予約情報比較・更新部７４は、番組予約入力部７から入力される番組予約情報１１０と番組予約情報記録部６に記録される番組予約情報とが時間的に重複するかどうか比較し、重複しない場合には、新規の番組予約情報として番組予約情報記録部６に追加登録し、重複する場合には、番組予約入力部７に指示して、いずれか一方の番組予約情報を取り消すようにしたり、または別の番組記録予約装置に番組予約されたものとして扱う。番組予約情報記録部６に記録される番組予約情報の記録時間にタイマー９が発生する割り込み信号１１１によって、受信部制御部２１は受信部２に番組及び番組編成情報からなる放送信号１０１を受信させ、番組記録部制御部２２は番組記録部４に番組信号の記録を開始させる。
【０００７】
次に、図１２乃至図１５に関連して上述した従来の番組記録予約装置における番組記録予約の番組編成の変更への追従動作、および重複番組の番組記録予約動作（不可能動作）について説明する。図１２に示すように野球番組８１ａの後に放送される予定のドラマ８２ａを番組予約していて、野球番組８１ａが野球番組８１ｂのように放送時間が延長してしまった場合、ドラマ８２ｂの記録開始時間を自動的に３０分遅らせる。また図１３（ａ）に示すようにバラエティ番組１０２ａと映画番組１０３ａの番組予約が入った状態で、新たにドラマ１０１ａの番組記録予約を入力する際に、図１３（ｂ）に示すようにバラエティ番組１０２ｂと映画番組１０３ｂの予約が優先され、後から入力したドラマ１０１ｂの予約を禁止する。また図１４に示すように、連続放送される第１回放送のドラマ１２１ａ、第２回放送のドラマ１２２ａ、第３回放送のドラマ１２３ａを番組記録予約する際には、各回毎に番組記録予約を行う。さらに図１５に示すように、視聴者が自分の好み（嗜好）の番組を番組記録予約したい場合には、自分の嗜好（ハワイやブランドショッピング）に関する番組を自分で探して、ハワイに関する番組１３１ａやブランドショッピングに関する番組１３２ａを番組予約するが、この際に、視聴者自身が気が付かないホノルルに関する番組１３３ａなどは見逃す可能性がある。
【０００８】
【特許文献１】
特開平５−５４４６６号公報
【特許文献２】
特開平６−２７６５０１号公報
【特許文献３】
特開平７−６５４３７号号公報
【特許文献４】
特開平９−４４９３１号公報
【特許文献５】
特開平７−２１５１９号公報
【特許文献６】
特開平５−２２６７３号公報
【０００９】
【発明が解決しようとする課題】
しかしながら、上記従来技術のうち、特許文献１乃至４にある予約録画変更方式は、放送延長や特別番組挿入により変更された放送時間を追従して録画開始時刻及び録画終了時刻の再設定をリアルタイムに自動的に行えるが、再設定された録画予約時間帯に別の録画予約が重なっている場合には、一方の録画ができないという問題点があった。また従来例で取り上げ特許文献５にある重複した録画予約を別のＶＴＲに録画予約し直す方式は、同時刻に放送される番組を同時に複数のＶＴＲで録画することはできるが、一つのＶＴＲで放送時刻が重なった番組を同時に録画することができないという問題点があった。また上記特許文献６にある番組編成情報を利用した番組予約方式は、番組編成情報から予約番組を選択することで予約操作を簡単化できるが、一連の連続番組の一括予約や関連する別の番組の予約支援を行うことはできないという問題点があった。
【００１０】
本発明は、上記従来の問題点を解決するもので、番組予約が重複する場合にも、一つの番組記録予約装置だけで予約の重複を回避し、重複する複数の番組の記録を実現する番組記録予約装置及び番組記録予約方法を提供することを第１の目的とする。
【００１１】
本発明はまた、番組予約時に予約番組に関する続編または次回以降の放送についての番組予約を選択的に行ったり、連続番組を一括して番組予約する番組記録予約装置及び番組記録予約方法を提供することを第２の目的とする。
【００１２】
本発明はまた、ユーザーの番組視聴及び番組予約履歴から、嗜好する番組を自動的または選択的に番組予約を行い、番組予約忘れを解消したり、新たな情報提示の機会を与える番組記録予約装置及び番組記録予約方法を提供することを第３の目的とする。
【００１３】
【課題を解決するための手段】
上記第１の目的を達成するために、本発明は、入力された情報に基づいて、取得した番組編成情報から検索して番組予約を行う際に、番組編成表と番組を取得し、更新された番組編成表と記憶されている番組予約スケジュールとを比較し、更新された番組編成表を基に番組予約スケジュールを動的に編集して、編集された記録スケジュールに従って番組を記録するものであり、これにより、重複した番組予約のいずれかの番組に再放送や繰り返し放送があれば、重複しない放送時間帯に番組予約を変更することで、番組予約の重複を回避し、重複する複数の番組の記録を行うことができる。
【００１４】
また、上記第２の目的を達成するために、本発明は、予約番組に連続する番組を検索し、その結果を基に連続番組に対する番組予約の番組予約スケジュールを動的に編集することを特徴とするものであり、これにより、番組予約時に予約番組に関する続編または次回以降の放送について選択的に番組予約を行ったり、連続番組を一括して番組予約することで、ユーザーの番組予約を簡単化することができる。
【００１５】
また、上記第３の目的を達成するために、本発明は、ユーザーの放送番組の視聴履歴を番組嗜好情報として類似する番組を検索し、自動的に類似する番組を予約する際に、更新された番組編成表を基に再放送または繰り返し放送の重複部分を回避するように番組予約スケジュールを動的に編集することを特徴とするものであり、これにより、ユーザーの嗜好に沿った番組の番組予約を自動的または選択的に行うことができ、ユーザーの番組予約忘れを解消したり、新たな情報提示の機会を提供することができる。
【００１６】
【発明の実施の形態】
本発明の請求項１に記載の発明は、入力された情報に基づいて、取得した番組編成情報から検索して番組予約を行う番組記録予約装置において、番組編成表と番組を取得する手段と、更新された番組編成表と記憶されている番組予約スケジュールとを比較し、前記更新された番組編成表を基に番組予約スケジュールを動的に編集する番組予約情報比較・更新手段と、前記編集された記録スケジュールに従って番組を記録する番組記録手段とを備えた番組記録予約装置であり、重複した番組予約のいずれかの番組に再放送や繰り返し放送があれば、重複しない放送時間帯に番組予約を変更することで、番組予約の重複を回避し、重複する複数の番組の記録を行うことができるという作用を有する。
【００１７】
また、本発明の請求項２に記載の発明は、番組予約情報比較・更新手段が、更新された番組編成表と記憶されている番組予約スケジュールを比較し、番組予約スケジュールを更新する際に番組予約の重複を検出した場合、番組予約された番組の再放送または繰り返し放送を前記番組編成表から検索した結果を基に、重複した番組予約の番組予約スケジュールを動的に編集することを特徴とする請求項１記載の番組記録予約装置であり、更新される番組予約情報または入力される番組予約が、記録されている他の番組予約情報の記録日時と重複する場合に、番組編成情報から重複する番組と同じ番組の再放送または繰り返し放送を検索して、一方の番組予約の日時を変更することができるという作用を有する。
【００１８】
また、本発明の請求項３に記載の発明は、番組予約情報比較・更新手段が、予約番組に連続する番組を検索した結果を基に、連続番組に対する番組予約の番組予約スケジュールを動的に編集することを特徴とする請求項１記載の番組記録予約装置であり、番組予約された番組の次回以降の放送を検索して、番組予約情報比較・更新手段が一括して番組予約を行うか、または番組予約情報比較・更新手段が番組予約情報を番組予約入力手段に伝えることにより、番組予約入力手段が選択的にまたは一括して一連の連続番組の番組予約を行うことができるという作用を有する。
【００１９】
また、本発明の請求項４に記載の発明は、番組予約情報比較・更新手段が、ユーザーの放送番組の視聴履歴を番組嗜好情報として類似する番組を検索し、自動的に類似する番組を予約する際に、前記更新された番組編成表を基に再放送または繰り返し放送の重複部分を回避するように番組予約スケジュールを動的に編集することを特徴とする請求項１記載の番組記録予約装置であり、記録されている番組編成情報から番組嗜好情報と類似する番組を検索して、番組予約情報比較・更新手段が自動的に類似する番組の番組予約を行うか、または番組予約情報比較・更新手段が類似する番組の番組予約情報を番組予約入力手段に伝えることにより、番組予約手段が選択的に番組予約を行うことができるという作用を有する。
【００２０】
また、本発明の請求項５に記載の発明は、番組嗜好情報が、ユーザーが番組視聴及び番組予約する番組のタイトルやジャンルの番組情報の履歴であることを特徴とする請求項４記載の番組記録予約装置である。
【００２１】
また、本発明の請求項６に記載の発明は、番組嗜好情報が、番組情報の嗜好の是非をユーザーが入力し学習により求めることを特徴とする請求項４記載の番組記録予約装置である。
【００２２】
また、本発明の請求項７に記載の発明は、入力された情報に基づいて、取得した番組編成情報から検索して番組予約を行う番組記録予約方法において、番組編成表と番組を取得し、更新された番組編成表と記憶されている番組予約スケジュールとを比較し、前記更新された番組編成表を基に番組予約スケジュールを動的に編集して、前記編集された記録スケジュールに従って番組を記録する番組記録予約方法であり、重複した番組予約のいずれかの番組に再放送や繰り返し放送があれば、重複しない放送時間帯に番組予約を変更することで、番組予約の重複を回避し、重複する複数の番組の記録を行うことができるという作用を有する。
【００２３】
また、本発明の請求項８に記載の発明は、番組予約スケジュールの動的な編集は、更新された番組編成表と記憶されている番組予約スケジュールを比較し、番組予約スケジュールを更新する際に番組予約が重複を検出した場合、番組予約された番組の再放送または繰り返し放送を前記番組編成表から検索し、その結果を基に重複した番組予約の番組予約スケジュールを動的に編集することを特徴とする請求項７記載の番組記録予約方法であり、更新される番組予約情報または入力される番組予約が、記録されている他の番組予約情報の記録日時と重複する場合に、番組編成情報から重複する番組と同じ番組の再放送または繰り返し放送を検索することで、一方の番組予約の日時を変更することができるという作用を有する。
【００２４】
また、本発明の請求項９に記載の発明は、番組予約スケジュールの動的な編集は、予約番組に連続する番組を検索し、その結果を基に連続番組に対する番組予約の番組予約スケジュールを動的に編集することを特徴とする請求項７記載の番組記録予約方法であり、番組予約された番組の次回以降の放送を検索して、一括して番組予約を行うか、または番組予約情報を番組予約入力手段に伝えることで、選択的にまたは一括して一連の連続番組の番組予約を行うことができるという作用を有する。
【００２５】
また、本発明の請求項１０に記載の発明は、番組予約スケジュールの動的な編集は、ユーザーの放送番組の視聴履歴を番組嗜好情報として類似する番組を検索し、自動的に類似する番組を予約する際に、前記更新された番組編成表を基に再放送または繰り返し放送の重複部分を回避するように番組予約スケジュールを動的に編集することを特徴とする請求項７記載の番組記録予約方法であり、記録されている番組編成情報から番組嗜好情報と類似する番組を検索して、自動的に類似する番組の番組予約を行うか、または類似する番組の番組予約情報を番組予約入力手段に伝えることで、選択的に番組予約を行うことができるという作用を有する。
【００２６】
以下、本発明の実施の形態を添付の図面を参照してより詳細に説明する。
【００２７】
（実施の形態１）
以下、本発明の第１の実施の形態における番組記録予約装置について説明する。図１は本発明の第１及び第２の実施の形態における番組記録予約装置のブロック図を示すものである。図１において、１は番組記録予約装置、２は受信部、３は分離部、４は番組記録部、５は番組編成情報記録部、６は番組予約情報記録部、７は番組予約入力部、９はタイマー、１０は記録メディア、１８はスケジュール管理部、１０１は番組及び番組編成情報からなる放送信号、１０２は番組及び番組編成情報からなる受信信号、１０３は分離された番組信号、１０４は番組信号を記録メディア１０に記録する記録信号、１０５は分離された番組編成情報、１０６は受信部制御情報、１０７は番組記録部制御情報、１０８は番組編成情報、１０９は番組予約情報、１１０は番組予約情報、１１１は割り込み信号、１１２は番組予約入力である。また図２は本発明の第１の実施の形態におけるスケジュール管理部１８の詳細図である。図２において、２１は受信部制御部、２２は番組記録部制御部、２３は番組編成情報比較・更新部、２４は番組予約情報比較・更新部、２５は再放送検索部、２０１は番組編成情報、２０２は番組予約情報である。
【００２８】
また図３（ａ）は、本発明の第１の実施の形態における番組記録予約装置によって録画重複を解消する例を示す図である。図３（ａ）において、９１ａは８時から１０時までＣＨ１で放送予定の野球番組、９２ａは１０時から１１時までＣＨ１で放送予定のドラマ、９３ａと９３ｂは１１時から１２時までＣＨ２で放送予定の音楽番組、９４ａと９４ｂは、９２ａと同じ内容で異なる日時にＣＨ１で放送予定のドラマ、９１ｂは試合延長のために放送時間が延長された野球番組である。
【００２９】
また図４（ａ）は、本発明の第１の実施の形態における番組記録予約装置によって重複した番組記録予約を入力する例を示す図である。図４（ａ）において、１１１ａと１１１ｂは７時３０分から８時３０分にＣＨ１で放送予定のドラマ、１１２ａおよび１１２ｂは９時から１１時までの時間にＣＨ１で放送予定のバラエティ番組、１１３ａおよび１１３ｂは７時から９時までの時間にＣＨ２で放送予定の映画番組、１１４ａおよび１１４ｂは１１３ａ、１１３ｂと同じ内容でＣＨ２において異なる時間帯に放送予定の映画番組である。
【００３０】
以上のように構成された番組記録予約装置について、以下、スケジュール管理部１８の動作を中心に説明する。番組予約情報比較・更新部２４は、番組予約入力部７から入力される番組予約情報１１０と番組予約情報記録部６に記録される番組予約情報とが時間的に重複するかどうか比較し、重複しない場合には、新規の番組予約情報として番組予約情報記録部６に追加登録し、重複する場合には、重複する番組の番組予約情報２０２を再放送検索部２５に入力し、再放送検索部２５から入力される検索結果の番組予約情報２０２が繰り返し放送または再放送のものであって番組予約の重複が解消され、かつ番組予約情報記録部６に記録されるその他の番組予約情報とも重複しない場合に、その番組予約情報を番組予約情報記録部６に更新記録する。再放送検索部２５は、番組予約情報比較・更新部２４から入力される番組予約情報２０２の番組について、番組編成情報記録部５に記録される番組編成情報を検索し、同番組の繰り返し放送または再放送を検索し、検索結果を番組予約情報２０２として番組予約情報比較・更新部２４に入力する。
【００３１】
さらに、本実施の形態における実際の番組記録予約の重複解消動作について説明する。図３（ａ）において、野球番組９１ａの直後のドラマ９２ａと、ドラマ９２ａの後の音楽番組９３ａを番組記録予約していて、その後野球番組が放送時間延長になった場合の状態が図３（ｂ）に示してある。図３（ｂ）の野球番組９１ｂのように放送時間延長になった場合、ドラマ９２ａの記録開始及び終了時間を上記野球番組が放送時間延長された分だけ遅れさせると、音楽番組９３ａと記録時間が重複してしまうので、ドラマ９２ａまたは音楽番組９３ａの繰り返し放送または再放送が行なわれる時間帯を検索する。この事例では、ドラマ９２ａと同じドラマで別時間に放送されるドラマ９４ｂが見つかったから、この場合には、番組記録予約をドラマ９４ｂと音楽番組９３ｂに自動的に変更することで、番組編成の変更にも動的に適応し、且つ番組記録予約の重複を自動的に解消することができる。
【００３２】
また図４（ａ）に示すように、バラエティ番組１１２ａと映画番組１１３ａの番組記録予約が入っているとして、新たにドラマ１１１ａの番組記録予約を入力する際に、ドラマ１１１ａと映画番組１１３ａの放送時間が重なるためこのままでは一方が録画予約できない。このような場合において、ドラマ１１１ａまたは映画番組１１３ａの繰り返し放送または再放送を検索し、映画番組１１３ａと同じ映画番組で別時間に放送される映画番組１１４ａを見つけ、それに基づいて新たな番組記録予約の入力を行う動作例を図４（ｂ）に示す。すなわち、上記のようにドラマ１１１ａまたは映画番組１１３ａの繰り返し放送または再放送を検索し、映画番組１１３ａと同じ映画番組で別時間に放送される映画番組１１４ａを見つけた場合、図４（ｂ）に示すように、番組記録予約をバラエティ番組１１２ｂと映画番組１１４ｂにすることで、新たなドラマ１１１ｂの番組記録予約の入力を可能とする。
【００３３】
以上のように、上記第１の実施の形態によれば、スケジュール管理部１８に再放送検索部２５と番組予約情報比較・更新部２４を設けることにより、番組予約の重複が発生した場合に、再放送検索部２５が番組編成情報から重複する番組の再放送や繰り返し放送または再放送を検索し、番組予約情報比較・更新部２４が重複しない放送時間帯に番組予約を変更することで、番組予約の重複を回避し、放送時間が重複する番組の記録を行うことができる。
【００３４】
（実施の形態２）
次に、本発明の第２の実施の形態における番組記録予約装置について説明する。図５は本発明の第２の実施の形態におけるスケジュール管理部１８の詳細図である。図５において、２１は受信部制御部、２２は番組記録部制御部、２３は番組編成情報比較・更新部、３４は番組予約情報比較・更新部、３５は連続放送検索部、３０２は番組予約情報である。
【００３５】
また図６は、連続放送される番組を本発明の第２の実施の形態における番組記録予約によって番組記録予約する例を示す図である。図６において、１２１ｂは連続放送の第１回放送のドラマ、１２２ｂは連続放送の第２回放送のドラマ、１２３ｂは連続放送の第３回放送のドラマである。
【００３６】
以上のように構成された番組記録予約装置について、以下、スケジュール管理部１８の動作を中心に説明する。番組予約情報比較・更新部３４は、番組予約入力部７から入力される番組予約情報１１０を連続放送検索部３５に入力し、連続放送検索部３５から入力される検索結果の番組予約情報３０２を番組予約入力部７に入力するか、番組入力部７からの番組予約情報１１０が一括予約を意味する場合には、まとめて一連の番組予約情報を番組予約情報記録部６に記録する。番組予約入力部７は、番組予約情報比較・更新部３４から入力された番組予約情報１１０を利用して番組予約入力作業を選択的に行えるようにする。連続放送検索部３５は、番組予約情報比較・更新部３４から入力される番組予約情報３０２の番組について、番組編成情報記録部５に記録される番組編成情報を検索し、同番組の続編または次回以降の放送を検索し、検索結果を番組予約情報３０２として番組予約情報比較・更新部３４に入力する。
【００３７】
さらに、本実施の形態における実際の連続番組の一括番組記録予約の動作について説明する。図６において、連続放送の第１回のドラマ１２１ｂと、第２回のドラマ１２２ｂと、第３回のドラマ１２３ｂの番組記録予約を行う際には、放送回毎に入力するのではなく、ドラマのタイトル等その番組のキーとなるデータを選択し入力するだけで、そのドラマが連続放送かどうかを番組編成情報から検索し連続放送であれば全ての放送回について自動的に番組編成表記録予約を行う。
【００３８】
以上のように、上記第２の実施の形態によれば、スケジュール管理部１８に連続放送検索部３５と番組予約情報比較・更新部３４を設けることにより、番組予約がされた場合に、連続放送検索部３５が番組編成情報から予約番組の続編や次回以降の放送を検索し、番組予約情報比較・更新部３４が一括して番組予約を行うか、番組予約入力部７に検索した番組予約情報を入力することで、連続番組を一括して番組予約したり、番組入力部７が続編や次回以降放送の番組予約を選択的に行うことができる。
【００３９】
（実施の形態３）
次に、本発明の第３の実施の形態における番組記録予約装置について説明する。図７は本発明の第３の実施の形態における番組記録予約装置のブロック図を示すものである。図７において、４１は番組記録予約装置、２は受信部、３は分離部、４は番組記録部、５は番組編成情報記録部、６は番組予約情報記録部、７は番組予約入力部、９はタイマー、１０は記録メディア、４８はスケジュール管理部、１０１は番組及び番組編成情報からなる放送信号、１０２は番組及び番組編成情報からなる受信信号、１０３は分離された番組信号、１０４は番組信号を記録メディア１０に記録する記録信号、１０５は分離された番組編成情報、１０６は受信部制御情報、１０７は番組記録部制御情報、１０８は番組編成情報、１０９は番組予約情報、１１０は番組予約情報、１１１は割り込み信号、１１２は番組予約入力、４０３は番組情報、４０４は再生信号、４０８は番組嗜好情報である。また図８は本発明の第３の実施の形態におけるスケジュール管理部４８の詳細図である。図８において、２１は受信部制御部、２２は番組記録部制御部、２３は番組編成情報比較・更新部、５４は番組予約情報比較・更新部、５５は嗜好番組検索部、５０２は番組予約情報である。
【００４０】
また図９は、本発明の第３の実施の形態における番組記録予約装置によって視聴者の嗜好を反映した番組記録予約を行う例を示す図である。図９において、１３１ｂはハワイに関する番組、１３２ｂはブランドショッピングに関する番組、１３３ｂはホノルルに関する番組である。
【００４１】
以上のように構成された番組記録予約装置について、以下、スケジュール管理部４８の動作を中心に説明する。番組予約情報比較・更新部５４は、嗜好番組検索部５５から入力される番組予約情報５０２を番組予約入力部７に入力するか、自動的に番組予約情報記録部６に記録する。番組予約入力部７は、番組予約情報比較・更新部５４から入力された番組予約情報１１０を利用して番組予約入力作業を選択的に行えるようにする。嗜好番組検索部５５は、番組編成情報記録部５に記録される番組編成情報から、番組予約情報記録部６に記録される番組予約頻度の高い番組のタイトルやジャンルなどの番組情報または番組嗜好記録部４６に記録される再生頻度の高い番組のタイトルやジャンルなどの番組情報に類似する番組を検索し、番組予約情報５０２として番組予約情報比較・更新部５４に入力する。また番組再生部４５は、記録メディア１０に記録される番組と番組情報を再生し、番組情報４０３を番組嗜好記録部４６に記録する。
【００４２】
さらに、本実施の形態における実際の視聴者の嗜好を反映した番組記録予約の動作について説明する。図９において、ハワイに関する番組１３１ｂと、ブランドショッピングに関する番組１３２ｂとが既に視聴者によって番組記録予約されているか、または視聴者によって視聴された場合に、視聴者が見たいと思うであろう番組、または視聴者が気が付かずにいる番組を、視聴者が組記記録予約または視聴した番組に近い番組から推測し、ホノルルに関する番組１３３ｂを自動的に番組記録予約する。ここで番組間の近さは番組編成情報内に含まれるキーワードの出現頻度などを用いる。
【００４３】
以上のように、上記第３の実施の形態によれば、番組再生部４５と番組嗜好記録部４６と、スケジュール管理部４８に嗜好番組検索部５５と番組予約情報比較・更新部５４を設けることにより、嗜好番組検索部５５が、番組嗜好記録部４６に記録される再生頻度の高い番組のタイトルやジャンルなどの番組情報及び番組予約情報記録部６に記録される予約頻度の高い番組のタイトルやジャンルなどの番組情報と、その番組情報に類似する番組を番組編成情報記録部５から検索し、番組予約情報比較・更新部５４が検索された類似番組の番組予約を自動的または選択的に行うことで、ユーザーの嗜好に沿った番組の予約を自動的または選択的に行うことができる。
【００４４】
なお、上に説明した本発明の第１、第２、第３の実施の形態で示した例は本発明のほんの一部の事例に過ぎず、様々なスケジュールの組み合わせを行うことができることはいうまでもない。さらに番組の記録予約だけでなく、視聴および視聴の予約において用いることもできる。また、視聴者の入力でなく自動的に入力された番組記録予約については、視聴者の入力による番組記録予約と予約時間が重複する場合には、優先的に予約の移動や解除を行なってもよいし、そのようにしなくてもよい。また、番組間の近さを求める方法は、上述の事例ではキーワードの出現頻度としたが、視聴者によって明示的に与えてもよいし、その都度視聴者から推測に関する是非を入力し学習してもよいし、その他の方法を用いてもよい。
【００４５】
【発明の効果】
以上のように、本発明によれば、第１に、番組予約の重複が発生した場合に、番組編成情報から重複する番組の再放送や繰り返し放送を検索し、その結果を基に重複しない放送時間帯に番組予約を変更することで、番組予約の重複を回避し、放送時間が重複する番組の記録を行うことができる。
【００４６】
第２に、番組予約時に番組編成情報から予約番組に関する続編または次回以降の放送を検索し、その結果を基に続編や次回以降放送の番組予約を選択的に行ったり、連続番組を一括して番組予約することで、ユーザーの番組予約を簡単化することができる。
【００４７】
第３に、ユーザーの放送番組の視聴履歴を番組嗜好情報として類似する番組を検索し、自動的に類似する番組を予約する際に、更新された番組編成表を基に再放送または繰り返し放送の重複部分を回避するように番組予約スケジュールを動的に編集することにより、ユーザーの嗜好に沿った番組の番組予約を自動的または選択的に行うことができ、ユーザーの番組予約忘れを解消したり、新たな情報提示の機会を提供することができる。
【図面の簡単な説明】
【図１】本発明の第１及び第２の実施の形態における番組記録予約装置の構成を説明するブロック図
【図２】本発明の第１の実施の形態に係る番組記録予約装置に用いられているスケジュール管理部の詳細図
【図３】（ａ）本発明の第１の実施の形態における番組記録予約装置において、野球番組の直後のドラマと、ドラマの後の音楽番組を番組記録予約している状態を示す図
（ｂ）本発明の第１の実施の形態における番組記録予約装置において、野球番組の直後のドラマと、ドラマの後の音楽番組を番組記録予約していて、その後野球番組が放送時間延長になった場合の、繰り返し放送または再放送検索による録画重複を解消する例を示す図
【図４】（ａ）本発明の第１の実施の形態における番組記録予約装置において、互いに放送時間が重複しているドラマと映画番組とを番組記録予約している状態を示す図
（ｂ）本発明の第１の実施の形態における番組記録予約装置において、互いに放送時間が重複しているドラマと映画番組とを番組記録予約した場合の、繰り返し放送または再放送検索による録画重複を解消する例を示す図
【図５】本発明の第２の実施の形態に係る番組記録予約装置に用いられているスケジュール管理部の詳細図
【図６】本発明の第２の実施の形態における番組記録予約装置によって連続放送される番組を番組記録予約する例を示す図
【図７】本発明の第３の実施の形態における番組記録予約装置の構成を説明するブロック図
【図８】本発明の第３の実施の形態に係る番組記録予約装置に用いられているスケジュール管理部の詳細図
【図９】本発明の第３の実施の形態における番組記録予約装置によって視聴者の嗜好を反映した組記録予約を行う例を示す図
【図１０】従来の番組記録予約装置の構成を示すブロック図
【図１１】従来の番組記録予約装置に用いられているスケジュール管理部の詳細図
【図１２】（ａ）従来の番組記録予約装置において、野球番組の直後のドラマを番組記録予約している状態を示す図
（ｂ）従来の番組記録予約装置において、野球番組の直後のドラマを番組記録予約していて、その後野球番組が放送時間延長になった場合の、放送開始および終了時間の繰り下がりによる録画重複を解消する例を示す図
【図１３】従来の番組記録予約装置によって重複した番組記録予約を入力することができないことを説明する例を示す図
【図１４】従来の番組記録予約装置によって連続放送される番組を番組記録予約する例を示す図
【図１５】従来の番組記録予約装置によって視聴者の嗜好を反映した番組記録予約を行う例を示す図
【符号の説明】
１　番組記録予約装置
２　受信部
３　分離部
４　番組記録部
５　番組編成情報記録部
６　番組予約情報記録部
７　番組予約入力部
９　タイマー
１０　記録メディア
１８　スケジュール管理部
２１　受信部制御部
２２　番組記録部制御部
２３　番組編成情報比較・更新部
２４　番組予約情報比較・更新部
２５　再放送検索部
３４　番組予約情報比較・更新部
３５　連続放送検索部
４１　番組記録予約装置
４５　番組再生部
４６　番組嗜好記録部
４８　スケジュール管理部
５５　嗜好番組検索部
６８　スケジュール管理部
７４　番組予約情報比較・更新部
１０１　番組及び番組編成情報からなる放送信号
１０２　番組及び番組編成情報からなる受信信号
１０３　番組信号
１０４　記録信号
１０５　番組編成情報
１０６　受信部制御情報
１０７　番組記録部制御情報
１０８　番組編成情報
１０９　番組予約情報
１１０　番組予約情報
１１１　割り込み信号
１１２　番組予約入力
２０１　番組編成情報
２０２　番組予約情報
３０２　番組予約情報
４０３　番組情報
４０４　再生信号
４０８　番組嗜好情報
５０２　番組予約情報
【図１】
2004007757.tif 000003
【図２】
2004007757.tif 000004
【図３】
2004007757.tif 000005
【図４】
2004007757.tif 000006
【図５】
2004007757.tif 000007
【図６】
2004007757.tif 000008
【図７】
2004007757.tif 000009
【図８】
2004007757.tif 000010
【図９】
2004007757.tif 000011
【図１０】
2004007757.tif 000012
【図１１】
2004007757.tif 000013
【図１２】
2004007757.tif 000014
【図１３】
2004007757.tif 000015
【図１４】
2004007757.tif 000016
【図１５】
2004007757.tif 000017